【手続補正書】
【提出日】平成24年4月13日(2012.4.13)
【手続補正１】
【補正対象書類名】明細書
【補正対象項目名】００３６
【補正方法】変更
【補正の内容】
【００３６】
本発明は、次の態様を含む。
［態様１］バッテリセルであって、
第一面と第二面を有するリチウム陽極と該陽極の少なくとも第一面の上にある保護膜構成とから成る保護付き陽極と、
初回放電の前分子酸素を還元するための陰極と水及びその中に溶解された活性第一物質とから成る水性陰極液となら成る陰極コンパートメントとから成り、
該保護膜構成が該電極と接触するアルカリ金属陽極と化学的適合性をもつ第一膜面及び該陰極コンパートメントの成分に事実上不浸透性であり化学的適合性をもつ第二膜面を提供するように構成された一個以上の物質から成るものである、バッテリセル。
［態様２］該活性第一物質が活性第一塩である、態様１に記載のセル。
［態様３］該活性第一塩がハロゲン成分から成るものである、態様２に記載のセル。
［態様４］該活性第一塩の濃度が少なくとも２モルである、態様２に記載のセル。
［態様５］該活性第一塩が硝酸塩、臭素、塩素、及びアンモニウムから選ばれる成分から成るものである、態様２に記載のセル。
［態様６］該活性第一塩が硝酸塩である、態様２に記載のセル。
［態様７］該活性第一塩がＮＨ4ＮＯ3である、態様２に記載のセル。
［態様８］該活性第一塩が金属ハライドであり、該ハライドの該金属がリチウム以外である、態様２に記載のセル。
［態様９］該ハライドの該金属が遷移金属である、態様８に記載のセル。
［態様１０］該ハライドの該金属がアルミニウム、マンガン、及びチタンから成るグループから選ばれるものである、態様９に記載のセル。
［態様１１］該活性第一塩がＡｌＣｌ3である、態様１に記載のセル。
［態様１２］該活性第一物質が該陰極液の水中に加水分解的に溶解するものである、態様１に記載のセル。
［態様１３］該陰極液が該第一活性塩と異なる第二塩とから更に成るものである、態様１に記載のセル。
［態様１４］該第二塩が不活性塩である、態様１３に記載のセル。
［態様１５］該第二塩がリチウム塩である、態様１３に記載のセル。
［態様１６］該第二塩がリチウムハライド塩である、態様１３に記載のセル。
［態様１７］該第二塩がＬｉＣ，ＬｉＢｒ及びＬｉＩから成るグループから選ばれるものである、態様１３に記載のセル。
［態様１８］該活性第一塩の濃度がリチウム塩の濃度以上である、態様１５に記載のセル。
［態様１９］該活性第一塩の濃度がリチウム塩の溶解度、塩で飽和した陰極液の抑制に十分である、態様１５に記載のセル。
［態様２０］該活性第一塩と該第二塩とが共通の塩成分を有するものである、態様１３に記載のセル。
［態様２１］該共通塩成分がハロゲンである、態様２０に記載のセル。
［態様２２］該陰極液内のハロゲン濃度が少なくとも６モルである、態様２０に記載のセル。
［態様２３］該共通塩成分が硝酸塩である、態様２０に記載のセル。
［態様２４］該陰極液内の硝酸塩濃度が少なくとも６モルである、態様２０に記載のセル。
［態様２５］該活性第一塩と該第二塩がハライド塩である、態様１３に記載のセル。
［態様２６］該活性第一ハライド塩と該第二ハライド塩が共通ハロゲンアニオンを有するものである、態様２５に記載のセル。
［態様２７］該活性第一ハライド塩と該第二ハライド塩が共通ハロゲンアニオンを有さないものである、態様２５に記載のセル。
［態様２８］該第二塩がリチウムハライドであり、該活性第一塩がアンモニウムハライドである、態様１３に記載のセル。
［態様２９］該第二塩が塩化リチウムであり、該活性第一塩が塩化アンモニウムである、態様１３に記載のセル。  
［態様３０］該第二塩が臭化リチウムであり、該陰極液が更に塩化リチウムから成るものである、態様１３に記載のセル。  
［態様３１］該第二塩が硝酸リチウムであり、該活性第一塩が硝酸アンモニウムである、態様１３に記載のセル。
［態様３２］該陰極液の初回の放電以前のハロゲン濃度が少なくとも６モルでありリチウム濃度が少なくとも２モルである、態様１３に記載のセル。
［態様３３］該陰極液の初回の放電以前の硝酸塩濃度が少なくとも６モルでありリチウム濃度が少なくとも２モルである、態様１３に記載のセル。
［態様３４］該陰極液の初回の放電以前の平衡相対湿度が、５０％以下、４０％以下、３０％以下、２０％以下、１５％以下、及び１０％以下から成るグループから選ばれる値である、態様１に記載のセル。
［態様３５］該陰極液が飽和した塩溶液である、態様１に記載のセル。
［態様３６］該飽和陰極液の第一活性塩がハライドと硝酸塩から成るグループから選ばれるものである、態様３５に記載のセル。
［態様３７］該飽和陰極液の第一活性塩がアンモニウムハライド、硝酸アンモニウム、及びリチウム以外の金属のハライドから成るグループから選ばれるものである、態様３５に記載のセル。
［態様３８］該飽和陰極液の第一活性塩がＮＨ4Ｂｒ，ＮＨ4Ｃｌ，ＮＨ4Ｉ、ＮＨ4ＮＯ3，ＮＨ4ＣＮＳ及びＡｌＣｌ3から成るグループから選ばれるものである、態様３５に記載のセル。
［態様３９］該陰極液が該第一活性塩で飽和したものである、態様３５に記載のセル。
［態様４０］該飽和陰極液が更に第二塩から成るものである、態様３５に記載のセル。
［態様４１］該第二塩が塩化物、臭化物、及び沃化物から成るグループから選ばれるものである、態様４０に記載のセル。
［態様４２］該第二塩がリチウム塩である、態様４１に記載のセル。
［態様４３］該第二塩が塩化リチウム、臭化リチウム、及び沃化リチウムから成るグループから選ばれるものである、態様４２に記載のセル。
［態様４４］該陰極液が該第二塩で飽和したものである、態様４０に記載のセル。
［態様４５］該飽和陰極液の初回の放電以前の平衡相対湿度が、５０％以下、４０％以下、３０％以下、２０％以下、１５％以下、及び１０％以下から成るグループから選ばれる値である、態様３５に記載のセル。
［態様４６］該第一量の水分はセルが既定放電容量を配達するのを可能にするのに十分でないものである、態様４５に記載のセル。
［態様４７］放電産物の少なくとも一つは該活性塩のアニオンから成るものである、態様１に記載のセル。
［態様４８］該放電産物のアニオンがハロゲンと硝酸塩とから成るグループから選ばれるものである、態様４７に記載のセル。
［態様４９］該陰極液は放電産物で飽和し、該放電産物が該陰極液の外部へ固体産物として沈殿するものである、態様４７に記載のセル。
［態様５０］該固体放電産物が更にリチウムから成るものである、態様４９に記載のセル。
［態様５１］該陰極液は少なくとも該リチウム化合物で飽和している、態様５０に記載のセル。
［態様５２］該陰極液は初回の放電の後平衡相対湿度が５０％以下、４０％以下、３０％以下、２０％以下、１５％以下、及び１０％以下から成るグループから選ばれる値に到達するものである、態様５１記載のセル。
［態様５３］水酸化リチウムが放電産物として形成されない、態様１記載のセル。
［態様５４］該セルは、溶解された活性塩種が放電反応に試薬として関与する第一段階を通じて放電し、叉、溶解された活性塩種が放電に試薬として関与せず、水分がその間消費される試薬である第二段階を通じてセルは放電するものである、態様１記載のバッテリセル。
［態様５５］該第一活性塩がアンモニウム成分から成るものである、態様２に記載のバッテリセル。
［態様５６］該第一活性塩がアンモニウム塩である、態様５５に記載のバッテリセル。
［態様５７］該アンモニウム第一活性塩がＮＨ4Ｂｒ，ＮＨ4Ｃｌ，ＮＨ4Ｉ、 ＮＨ4ＮＯ3，ＮＨ4ＣＮＳからなるグループから選ばれるものである、態様５６に記載のバッテリセル。
［態様５８］該アンモニウム第一活性塩の濃度が少なくとも２Ｍである、態様５６に記載のバッテリセル。
［態様５９］該アンモニウム第一活性塩の濃度が約４Ｍである、態様５６に記載のバッテリセル。
［態様６０］バッテリセルであって、
第一面と第二面を有するリチウム陽極と該陽極の少なくとも第一面の上にある保護膜構成とから成る保護付き陽極と、
初回放電の前分子酸素を還元するための陰極と水及びその中に溶解された塩とから成る水性陰極液となら成る陰極コンパートメントとから成り、
該塩の濃度は初回の放電前開回路の状態での貯蔵の間の抵抗増加を防止するのに十分であり、
該保護膜構成が該電極と接触するアルカリ金属陽極と化学的適合性をもつ第一膜面及び該陰極コンパートメントの成分に事実上不浸透性であり化学的適合性をもつ第二膜面を提供するように構成された一個以上の物質から成るものである、バッテリセル。
［態様６１］該塩がリチウム塩である、態様６０に記載のバッテリセル。
［態様６２］該塩がリチウムハライド塩である、態様６０に記載のバッテリセル。
［態様６３］該塩が塩化リチウム、臭化リチウム、沃化リチウム、硝酸リチウムから成るグループから選ばれるものである、態様６０に記載のバッテリセル。
［態様６４］該リチウム塩のリチウムイオン濃度が該陰極液の中で少なくとも２モルである、態様６１に記載のバッテリセル。
［態様６５］該陰極液のリチウムイオン濃度が少なくとも２モルである、態様６１に記載のバッテリセル。
［態様６６］バッテリセルであって、
第一面と第二面を有するリチウム陽極と該陽極の少なくとも第一面の上にある保護膜構成とから成る保護付き陽極と、
初回放電の前、分子酸素を還元するための陰極、水性陰極液、及び水溶性であって該水性陰極液と接触する固体相活性物質とから成るなら陰極コンパートメントとから成り、
該保護膜構成が該電極と接触するアルカリ金属陽極と化学的適合性をもつ第一膜面及び該陰極コンパートメントの成分に事実上不浸透性であり化学的適合性をもつ第二膜面を提供するように構成された一個以上の物質から成るものである
バッテリセル。
［態様６７］該固体相活性物質が固体相活性塩である、態様６６に記載のセル。
［態様６８］該陰極液に接触する該固体相活性塩が機能的にその中に溶解するものである、態様６７に記載のセル。
［態様６９］該陰極液への該固体相活性塩の機能的溶解により、セル反応に試薬として関与する溶解した活性電解質種を生成するものである、態様６７に記載のセル。
［態様７０］該固体相活性塩が吸湿性である、態様６６に記載のセル。
［態様７１］該固体相活性塩が潮解性である、態様６６に記載のセル。
［態様７２］該固体相活性塩物質がハロゲンから成るものである、態様６６に記載のセル。
［態様７３］該固体相活性塩が硝酸塩から成るものである、態様６６に記載のセル。
［態様７４］該固体相活性塩がアンモニウムから成るものである、態様６６に記載のセル。
［態様７５］該固体相活性塩がリチウム以外の金属から成り、該固体物質が該陰極液の水分の中に機能的に溶解するものである、態様６６に記載のセル。
［態様７６］該固体相活性塩がハライドである、態様７５に記載のセル。
［態様７７］該ハライドがアンモニウムハライドである、態様７５に記載のセル。
［態様７８］該固体相活性塩が硝酸塩である、態様７５に記載のセル。
［態様７９］固体相活性塩がリチウム以外の金属のハライドである、態様１１に記載のセル。
［態様８０］該固体相活性塩が ＮＨ4Ｃｌ，ＮＨ4Ｂｒ，ＡｌＣｌ3，ＮＨ4ＮＯ3，ＮＨ4ＣＮＳ、ＭｇＣｌ2から成るグループから選ばれるものである、態様７５に記載のセル。  
［態様８１］該陰極液が該塩で飽和されているものである、態様６６に記載のセル。  
［態様８２］該塩が活性塩である、態様６６に記載のセル。  
［態様８３］該塩が不活性塩である、態様６６に記載のセル。  
［態様８４］該塩がリチウム塩である、態様６６に記載のセル。  
［態様８５］該陰極コンパートメントが該陰極と該保護付き陽極との間に位置される貯蔵構造体から更に成るものである、態様６６に記載のセル。  
［態様８６］該貯蔵構造体が該陰極液と化学的に適合性であり該陰極と化学的及び電気化学的に適合性である多孔性固体構成から成るものである、態様６６に記載のセル。  
［態様８７］該貯蔵構造体構成の表面又は孔構成の少なくとも一部が固体相活性物質で実質上覆われ、又は固体相活性物質を含み、及び／又は固体相活性物質と接触するものである、態様６６に記載のセル。  
［態様８８］該固体相活性物質は該固体多孔性貯蔵構造体の孔構成の少なくとも一部に存在又は含まれ、該固体相活性物質が該多孔性構成に接触するものである、態様８７に記載のセル。
［態様８９］該水性陰極液は実質上該陰極コンパートメントが外部に露出した後その場所で形成されるものであり、周囲の空気の湿気が該陰極コンパートメントに入って該固体相活性物質を溶解して水性陰極液を形成するものである、態様６６に記載のセル。  
［態様９０］該陰極コンパートメントを周囲の空気に露出する前、該コンパートメントは固体リチウム支持電解質塩から更に成るものである、態様６６に記載のセル。  
［態様９１］該水性陰極液は実質上該陰極コンパートメントが外部に露出した後その場所で形成されるものであり、周囲の空気の湿気が該陰極コンパートメントに入って該固体リチウム支持塩を溶解して水性陰極液を形成するものである、態様９０に記載のセル。
［態様９２］該活性固体相活性物質はコンパクトの形状である、態様６６に記載のセル。  
［態様９３］該活性固体相活性物質コンパクトは更に第二成分物質から成るものである、態様９２に記載のセル。
［態様９４］該第二成分物質が無機粉末から成るものである、態様９３に記載のセル。
［態様９５］該無機粉末がシリカ、アルミナ、及びチタニアから成るグループから選ばれるものである、態様９４に記載のセル。
［態様９６］該コンパクトが多孔性である、態様９２に記載のセル。
［態様９７］該コンパクトの孔が陰極液を含むものである、態様９６に記載のセル。
［態様９８］該陰極コンパートメントが空気に開放するものである、態様６６に記載のセル。
［態様９９］該活性固体物質が空気陰極に接触する、態様６６に記載のセル。
［態様１００］該セルの初回の活性化以前、貯蔵構造体が固体相活性物資から成り、実質的に陰極液は無く、該陰極液は活性化でその場所で形成されるものである、態様６６に記載のセル。
［態様１０１］該貯蔵構造体は実質上空であり、活性固体物質はセル組み立て前又はセル組み立後で初回のセル放電前に該貯蔵構造体へ導入されるものである、態様６６に記載のセル。
［態様１０２］セルの活性化以前、該コンパートメントには実質上液体水分が空である、態様６６に記載のセル。
［態様１０３］該活性固体物質がマイクロカプセル型である、態様１０２に記載のセル。
［態様１０４］該陰極コンパートメントが更にヒドロゲルから成るものである、態様６６に記載のセル。
［態様１０５］該陰極が多孔質固体構成から成るものである、態様６６に記載のセル。
［態様１０６］該活性固体物質がセルの製造の間に陰極コンパートメントに統合され、初回の放電の後、有意義的な量の該活性固体相物質が溶解しない固体として該陰極コンパートメントの中に残るものである、態様６６に記載のセル。
［態様１０７］セルがその放電容量の或る百分比を配達した後、該活性固体相物質の或る量が陰極コンパートメントの中に溶解しない固体として残り、この百分比がこの規定放電容量の２５％又は５０％又は７５％又は９０％から成るグループから選ばれるものである、態様１０６に記載のセル。
［態様１０８］セルの活性化以前、活性固体相物質の陰極液に溶解した活性塩のモル比が１以上、２以上及び１０以上から成るグループから選ばれる値である、態様８４に記載のセル。
［態様１０９］上記モル比の値が２から３、３から４、４から５、５から６、６から７、７から８、８から９、９から１０から成るグループから選ばれる範囲の中にある、態様８４に記載のセル。
［態様１１０］バッテリセルを作成する方法であって、
第一面と第二面を有するリチウム金属の陽極と該陽極の少なくとも第一面の上にある保護膜構成とから成る保護付き陽極と、
初回の放電以前、分子酸素を還元するための陰極、水とそれに溶解した塩とから成る水性陰極液、及び固体相活性物質とから成るなら陰極コンパートメントとを準備する工程から成り、
該保護膜構成が該電極と接触するアルカリ金属陽極と化学的適合性をもつ第一膜面及び該陰極コンパートメントの成分に事実上不浸透性であり化学的適合性をもつ第二膜面を提供するように構成された一個以上の物質から成るものである、方法。
［態様１１１］バッテリセルであって、
第一面と第二面を有するリチウム金属の陽極と該陽極の少なくとも第一面の上にある保護膜構成とから成る保護付き陽極と、
分子酸素を還元するための陰極、水性陰極液、及び該保護付き陽極と該陰極の間に位置する多孔性無機固体貯蔵構造体構成とから成るなら陰極コンパートメントとから成り、
該多孔性無機固体の一部は導電性であり、
該陰極と該陽極の間のイオン交通を十分に維持するに十分な陰極液が貯蔵構造体の孔に存在し、
該保護膜構成が該電極と接触するアルカリ金属陽極と化学的適合性をもつ第一膜面及び該陰極コンパートメントの成分に事実上不浸透性であり化学的適合性をもつ第二膜面を提供するように構成された一個以上の物質から成るものである、バッテリセル。
［態様１１２］多孔性無機固体が酸化物である、 態様１１１に記載のセル。
［態様１１３］該酸化物が金属酸化物である、 態様１１２に記載のセル。
［態様１１４］該多孔性固体が遷移金属酸化物である、 態様１１２に記載のセル。
［態様１１５］該多孔性無機固体の一部が電子的に絶縁体である、 態様１１１に記載のセル。
［態様１１６］該多孔性無機固体の一部が電子的に伝導性である、 態様１１１に記載のセル。
［態様１１７］該多孔性無機固体の電子導電率が保護付き陽極から陰極へと変化するものである、態様１１１に記載のセル。
［態様１１８］該多孔性固体の一区域が電子的絶縁体であり、異なる区域が電子的導電性である、態様１１１に記載のセル。
［態様１１９］該保護膜に接触する多孔性構成の区域が電子的絶縁体であり、該陰極に接触する多孔性構成の区域が電子的導電性である、態様１１８に記載のセル。
［態様１２０］該多孔性固体が均一的な構成である、態様１１１に記載のセル。
［態様１２１］該多孔性固体が非均一的な構成である、態様１１１に記載のセル。
［態様１２２］該金属酸化物がＡｌ2Ｏ3，Ｙ2Ｏ3及びＭｇＯから成るグループから選ばれるものである、態様１１１に記載のセル。
［態様１２３］該多孔性貯蔵構造体が保護膜と陰極の一方、又は他方、又は両方と密接に接触し、膜と陰極に接触する多孔性貯蔵構造体が化学的安定性であり、電気化学的に不活性である、態様１１１に記載のセル。
［態様１２４］該多孔性貯蔵構造体構成が陰極液と接触して化学的に不活性である、態様１１１に記載のセル。
［態様１２５］該多孔性貯蔵構造体構成が陰極と保護膜と接触して化学的に安定である、態様１１３に記載のセル。
［態様１２６］該多孔性構成がフェルト、布、及びメッシュから成るグループから選ばれる形態のものである、態様１１１に記載のセル。
［態様１２７］バッテリセルであって、
第一面と第二面を有するリチウム金属陽極と該陽極の少なくとも第一面の上にある保護膜構成とから成る保護付き陽極と、
分子酸素を還元するための陰極、活性水性陰極液、及び固体多孔性貯蔵構造体構成とから成るなら陰極コンパートメントとから成り、
該保護膜構成が該電極と接触するアルカリ金属陽極と化学的適合性をもつ第一膜面及び該陰極コンパートメントの成分に事実上不浸透性であり化学的適合性をもつ第二膜面を提供するように構成された一個以上の物質から成るものであり、
該固体多孔性貯蔵構造体構成が炭素質多孔性構成から成るものである、バッテリセル。
［態様１２８］該炭素質多孔性構成がフェルト、布、網状構成、泡体、紙類、不織物、及び紙から成るグループから選ばれる形態のものである、態様１２７に記載のセル。
［態様１２９］該炭素質多孔性構成が電子的に導通性である、態様１２７に記載のセル。
［態様１３０］該多孔性構成の電子導通率が空気陰極のそれ以下である、態様１２７に記載のセル。
［態様１３１］バッテリセルであって、
第一面と第二面を有するリチウム金属の陽極と該陽極の少なくとも第一面の上にある保護膜構成とから成る保護付き陽極と、
分子酸素を還元するための陰極、水性陰極液、及び固体多孔性貯蔵構造体構成とから成るなら陰極コンパートメントとから成り、
該保護膜構成が該電極と接触するアルカリ金属陽極と化学的適合性をもつ第一膜面及び該陰極コンパートメントの成分に事実上不浸透性であり化学的適合性をもつ第二膜面を提供するように構成された一個以上の物質から成り、
該固体多孔性貯蔵構造体構成がセル放電の間膨張するものである、バッテリセル。
［態様１３２］該固体多孔性貯蔵構造体構成が周囲の空気から水分を吸収して該陰極液と適合するように膨張するものである、態様１３１に記載のセル。
［態様１３３］該固体多孔性貯蔵構造体が放電で膨張するように構成された弾性的重合体多孔性構成である、又はそれから成るものである、態様１３１に記載のセル。
［態様１３４］バッテリセルであって、
第一面と第二面を有するリチウム陽極と該陽極の少なくとも第一面の上にある保護膜構成とから成る保護付き陽極と、
分子酸素を還元するための陰極、及び活性水性陰極液とから成るなら陰極コンパートメントとから成り、
該保護膜構成が該電極と接触するアルカリ金属陽極と化学的適合性をもつ第一膜面及び該陰極コンパートメントの成分に事実上不浸透性であり化学的適合性をもつ第二膜面を提供するように構成された一個以上の物質から成り、
該陰極はセルの運行が放電の実質上完全な完了以前に中絶されないため、不溶解の放電産物を収容するように構成された孔構成を有するものである、バッテリセル。
［態様１３５］該陰極が電流コレクタと活性層から成り周囲の空気に隣接するる第一部分層、及び保護層に隣接する開口多孔性構成を有する第二部分層とから成るものである、態様１３４に記載のセル。
［態様１３６］該電流コレクタは水性陰極液と接触して腐食しない物質である、態様１３５に記載のセル。
［態様１３７］該電流コレクタはチタンである、態様１３６に記載のセル。
［態様１３８］該第二部分層が多孔性炭素構成から成るものである、態様１３８に記載のセル。
［態様１３９］該第二部分層が多孔性炭素質固体である、態様１３４に記載のセル。
［態様１４０］該陰極が放電で厚さの方向に膨張するものである、態様１３４に記載のセル。
［態様１４１］該陰極が完全放電で厚さが少なくとも二倍に膨張するものである、態様１４０に記載のセル。
［態様１４２］バッテリッセルを製造する方法であって、態様１３４に記載のセルを準備する工程から成る、方法。
［態様１４３］バッテリッセルを製造する方法であって、態様１２７に記載のセルを準備する工程から成る、方法。
［態様１４４］バッテリセルであって、
第一面と第二面を有するリチウム金属の陽極と該陽極の少なくとも第一面の上にある保護膜構成とから成る保護付き陽極と、
分子酸素を還元するための陰極、水性陰極液、及びヒドロゲル貯蔵構造体構成とから成るなら陰極コンパートメントとから成り、
該保護膜構成が該電極と接触するアルカリ金属陽極と化学的適合性をもつ第一膜面及び該陰極コンパートメントの成分に事実上不浸透性であり化学的適合性をもつ第二膜面を提供するように構成された一個以上の物質から成るものである、バッテリセル。
［態様１４５］該ヒドロゲル構成が水和性重合体から成るものである、態様１３５に記載のセル。
［態様１４６］該ヒドロゲル構成が装置運行の間周囲の空気から湿気を吸収するものである、態様１４４に記載のセル。
［態様１４７］該ヒドロゲル構成が固体相活性塩から成るものである、態様１４４に記載のセル。
［態様１４８］該ヒドロゲル構成が水性陰極液から成るものである、態様１４４に記載のセル。
［態様１４９］該ヒドロゲル構成が放電の固体産物を収容するものである、態様１４４に記載のセル。
［態様１５０］該ヒドロゲル構成が陰極液を保持し、周囲の空気から湿気を吸収して膨張するものである、態様１４４に記載のセル。
［態様１５１］該ヒドロゲル構成が天然重合体である、又は天然重合体から成るものである、態様１４４に記載のセル。
［態様１５２］該ヒドロゲル構成の固体相一成分が合成重合体である、態様１４４に記載のセル。
［態様１５３］該ヒドロゲル構成が物理的又は化学的ゲルである、態様１４４に記載のセル。
［態様１５４］該ヒドロゲル構成が二種以上のヒドロゲル構成物から成る多成分ヒドロゲル構成である、態様１４４に記載のセル。
［態様１５５］該ヒドロゲル構成がバルクヒドロゲルとは異なる構成物を有するヒドロゲルコンタクト層から更に成るものである、態様１４４に記載のセル。
［態様１５６］該貯蔵構造体がヒドロゲルである、態様１４４に記載のセル。
［態様１５７］該ヒドロゲル構成は周囲の空気からの水分が陰極コンパートメントに吸収されてその場所で形成されるものである、態様１４４に記載のセル。
［態様１５８］該ヒドロゲル構成は陰極液を保持し、放電と共にセル反応で生成された水分子によって膨張するものである、態様１４４に記載のセル。
［態様１５９］該ヒドロゲル構成は陽極に隣接する第一ヒドロゲル層と陰極に隣接する他の第二ヒドロゲル層とから成る多層である、態様１４４に記載のセル。
［態様１６０］バッテリッセルを製造する方法であって、態様１４４に記載のセルを準備する工程から成る、方法。
発明に関するこれら及びその他の特徴は以下の詳細な記載によって例示される。